(57)【要約】【課題】水晶振動子の温度特性の補正を幅広い温度範囲で実現するとともに、高精度で補正を実現するための回路構成を安価に、かつ容易に製造できるようにしたものである。【解決手段】電子回路の周囲温度を段階的に検出する温度検出手段１５と、温度補正の制御を行う温度補正回路１４とを具備し、前記温度補正回路１４は温度検出手段１５で検出される温度を一定の段階ごとに区切り、その段階に従った代表点ごとに電子回路が有する温度特性を補正するために作成した動作補正データを記憶する第１の記憶手段１８と、温度検出手段１５により検出された周囲温度に対応し、前後した二つの代表点での動作補正データを前記第１の記憶手段１８から選択的に読み出し、この読み出した二つの動作補正データと検出温度から比率的に求められる動作補正データに基づいて前記電子回路の動作を補正する補正処理手段１７とを備えた。【選択図】図２
2006222725.tif 000002
【特許請求の範囲】
【請求項１】
温度特性を有する電子回路の動作を周囲温度に応じて補正する温度補正回路において、前記電子回路の周囲温度を段階的に検出する温度検出手段と、温度補正の制御を行う温度補正制御手段とを具備し、前記温度補正制御手段は、前記温度検出手段で検出される温度を一定の段階ごとに区切り、その段階に従った代表点ごとに、前記電子回路が有する温度特性を補正するために作成した動作補正データを記憶する第１の記憶手段と、前記温度検出手段により検出された周囲温度に対応し、前後した二つの代表点での動作補正データを前記第１の記憶手段から選択的に読み出し、この読み出した二つの動作補正データと検出温度から比率的に求められる動作補正データに基づいて前記電子回路の動作を補正する補正処理手段とを備えたことを特徴とする温度補正回路。
【請求項２】
温度特性を有する電子回路の動作を周囲温度に応じて補正する温度補正回路において、前記電子回路の周囲温度を段階的に検出する温度検出手段と、温度補正の制御を行う温度補正制御手段とを具備し、前記温度補正制御手段は、前記温度検出手段で検出される温度を一定の段階ごとに区切り、その区切られたグループ毎に各温度における前記電子回路が有する温度特性を補正するために作成した動作補正データを直線近似し、区切りの開始温度、終了温度を代表点として、近似曲線から求められる動作補正データを記憶する第１の記憶手段と、前記温度検出手段により検出された周囲温度に対応し、前後した二つの代表点での動作補正データを前記第１の記憶手段から選択的に読み出し、この読み出した二つの動作補正データと検出温度から比率的に求められる動作補正データに基づいて前記電子回路の動作を補正する補正処理手段とを備えたことを特徴とする温度補正回路。
【請求項３】
温度特性を有する電子回路の動作を周囲温度に応じて補正する温度補正回路において、前記電子回路の周囲温度を段階的に検出する温度検出手段と、温度補正の制御を行う温度補正制御手段とを具備し、前記温度補正制御手段は、前記温度検出手段で検出される温度を一定の段階ごとに区切り、その段階に従った代表点ごとに、前記電子回路が有する温度特性を補正するために作成した動作補正データを記憶するとともに、動作補正データの曲線の変曲点の温度と動作補正データを記憶する第１の記憶手段と、前記温度検出手段により検出された周囲温度に対応し、前後した二つの代表点での動作補正データを前記第１の記憶手段から選択的に読み出し、この読み出した二つの動作補正データと検出温度から比率的に求められる動作補正データに基づいて前記電子回路の動作を補正する補正処理手段とを備えたことを特徴とする温度補正回路。
【請求項４】
温度特性を有する電子回路の動作を周囲温度に応じて補正する温度補正回路において、前記電子回路の周囲温度を段階的に検出する温度検出手段と、温度補正の制御を行う温度補正制御手段とを具備し、前記温度補正制御手段は、前記温度検出手段で検出される温度を一定の段階ごとに区切り、その段階に従った代表点ごとに、前記電子回路が有する温度特性を補正するために作成した動作補正データを記憶する第１の記憶手段と、前記温度検出手段が有する検出特性のうち補正対象となる全温度範囲に含まれる一つの代表温度において実際に目的とする出力が得られる真の動作補正データと動作補正データとの差を記憶する第２の記憶手段と、前記温度検出手段により検出された周囲温度に対応し、前後した二つの代表点での動作補正データを前記第１の記憶手段から選択的に読み出し、この読み出した二つの動作補正データと検出温度から比率的に求められる動作補正データをさらに第２の記憶手段に記憶される動作補正データの差をもとにに基づいて補正し、前記電子回路の動作を補正する補正処理手段とを備えたことを特徴とする温度補正回路。
【請求項５】
前記電子回路は、基準発振周波数を発生する発振回路であることを特徴とする請求項１〜４いずれか１項記載の温度補正回路。
【請求項６】
請求項１〜４いずれか１項記載の温度補正回路を備えた無線装置。
【請求項７】
請求項１〜４のいずれか１項記載の温度補正回路をマイクロコンピュータによって実現するためのプログラム。
【発明の詳細な説明】
【技術分野】
【０００１】
この発明は、例えば発振回路のように温度特性を持つ電子回路の動作を周囲温度に応じて補正するための温度補正回路およびそれを備えた無線装置、特に屋外での使用が前提とされる検針用無線装置に関するものである。
【背景技術】
【０００２】
従来、ガスや水道のメータを検針するために人力による検針作業が行なわれてきたが、近年の人件費の高騰や企業の合理化に対する要求の高まりの中、メータに無線装置を取り付け、中継局経由もしくは携帯端末で無線を用いた自動検針が実施されつつある。
【０００３】
一般に、無線装置には、シンセサイザ等の発振回路が設けられている。この種の発振回路は一般に水晶振動子を用いた基準発振器を使用している。水晶振動子は一般に温度特性を有しており、この温度特性はＰb曲線と呼ばれ、三次曲線をなしている。このため、安定な発振周波数を得るためには、水晶振動子の温度特性を考慮して発振回路の動作を補正することが必要不可欠である。
【０００４】
特に屋外で使用され、メンテナンスの行なわれない自動検針用の無線装置では使用温度範囲が広く、使用期間も長いことから広い温度範囲で長期間利用できることが必要不可欠である。
【０００５】
そこで従来では、例えば水晶振動子としてＴＣＸＯ（Ｔｅｍｐｅｒａｔｕｒｅ  Ｃｏ―ｍｐｅｎｓａｔｅｄ  Ｃｒｙｓｔａｌ  Ｏｓｃｉｌｌａｔｏｒ）と呼ばれる恒温素子を使用した温度補正機能付きの発振回路が使用されている。しかし、恒温素子からなる水晶振動子は一般に大形で高価であるため、回路の大形化とコストアップが避けられない。
【０００６】
一方、サーミスタ等の温度センサと可変容量素子とを組み合わせて発振回路のバイアス電圧を変化させることで、発振周波数の温度補正を行う発振回路が知られている（例えば特許文献１参照）。この種の回路は、高価な水晶振動子を必要としないので、回路のコストダウンと小形化が可能となる。
【０００７】
しかしながら、温度センサを用いて温度補正を行う発振回路は、水晶振動子の特性を完全に保証することは不可能で、広い温度範囲に亘って高精度の温度補正を行うことが難しく、この結果高安定な発振回路を提供できず、使用温度条件の制限を設ける等、使用しにくい無線装置となっていた。
【特許文献１】特開２００２−３２５０１８号公報
【発明の開示】
【発明が解決しようとする課題】
【０００８】
以上述べたように従来の発振回路には、恒温素子からなる水晶振動子を使用した発振回路と、温度センサと可変容量素子を組み合わせて温度補正する回路とがある。しかし、前者は高価で回路の小形化が難しい。一方、後者は回路の低価格化と小形化が可能である反面、Ｐb曲線の補正が困難で広い温度範囲に亘り高精度の温度補正を行うことが困難だった。
【０００９】
この発明は上記事情に着目してなされたもので、その目的とするところは、水晶振動子の温度特性の補正を幅広い温度範囲で実現すること、また、高精度で、補正を実現するための回路構成を安価、かつ製造容易な温度補正回路及び温度補正回路を備えた無線装置を提供することにある。
【課題を解決するための手段】
【００１０】
上記目的を達成するためにこの発明に係わる温度補正回路は、温度特性を有する電子回路の動作を周囲温度に応じて補正する温度補正回路において、前記電子回路の周囲温度を段階的に検出する温度検出手段と、温度補正制御手段とを具備する。
【００１１】
温度補正制御手段には、上記温度検出手段で検出される温度を一定の段階ごとに区切り、その段階に従った代表点ごとに、前記電子回路が有する温度特性を補正するために作成した動作補正データを記憶する第１の記憶手段と、上記温度検出手段により検出された周囲温度に対応し、前後した二つの代表点での動作補正データを前記第１の記憶手段から選択的に読み出し、この読み出した二つの動作補正データと検出温度から比率的に求められる動作補正データに基づいて前記電子回路の動作を補正する補正処理手段とを備える。
【００１２】
そして、この補正処理手段において、上記温度検出手段により検出された周囲温度に前後する二つの代表点の動作補正データを上記第１の記憶手段から選択的に読み出し、この読み出した二つの動作補正データと二つの代表温度から比率的に検出温度での動作補正データを求め、これをもとに上記電子回路の動作を補正するものである。
【発明の効果】
【００１３】
本発明では、段階ごとに区切った代表点ごとにデータを記憶するため、第１の記憶手段に記憶するデータ量が少なくすることが出来る。また、メモリーの容量が小さく済むため、部品のコストダウンが可能となる。
【００１４】
さらにこれらのデータを製造工程で書き込む際も、書き込み時間が短く済むため生産効率を向上させることが可能となり、設備投資を抑えることが可能となる。
【発明を実施するための最良の形態】
【００１５】
第１の発明は、温度特性を有する電子回路の動作を周囲温度に応じて補正する温度補正回路において、前記電子回路の周囲温度を段階的に検出する温度検出手段と、温度補正制御手段とを具備する。
【００１６】
温度補正制御手段には、上記温度検出手段で検出される温度を一定の段階ごとに区切り、その段階に従った代表点ごとに、前記電子回路が有する温度特性を補正するために作成した動作補正データを記憶する第１の記憶手段と、上記温度検出手段により検出された周囲温度に対応し、前後した二つの代表点での動作補正データを前記第１の記憶手段から選択的に読み出し、この読み出した二つの動作補正データと検出温度から比率的に求められる動作補正データに基づいて前記電子回路の動作を補正する補正処理手段とを備える。
【００１７】
そして、この補正処理手段において、上記温度検出手段により検出された周囲温度に前後する二つの代表点の動作補正データを上記第１の記憶手段から選択的に読み出し、この読み出した二つの動作補正データと二つの代表温度から比率的に検出温度での動作補正データを求め、これをもとに上記電子回路の動作を補正するものである。
【００１８】
第２の発明は、温度補正制御手段には、上記温度検出手段で検出される温度を一定の段階ごとに区切り、その区切られたグループ毎に各温度における前記電子回路が有する温度特性を補正するために作成した動作補正データを直線近似し、区切りの開始温度、終了温度を代表点として、近似曲線から求められる動作補正データを記憶する第１の記憶手段と、上記温度検出手段により検出された周囲温度に対応し、前後した二つの代表点での動作補正データを前記第１の記憶手段から選択的に読み出し、この読み出した二つの動作補正データと検出温度から比率的に求められる動作補正データに基づいて前記電子回路の動作を補正する補正処理手段とを備える。
【００１９】
そして、この補正処理手段において、上記温度検出手段により検出された周囲温度に前後する二つの代表点の動作補正データを上記第１の記憶手段から選択的に読み出し、この読み出した二つの動作補正データと二つの代表温度から比率的に検出温度での動作補正データを求め、これをもとに上記電子回路の動作を補正するものである。
【００２０】
第３の発明は、温度補正制御手段には、上記温度検出手段で検出される温度を一定の段階ごとに区切り、その段階に従った代表点ごとに、前記電子回路が有する温度特性を補正するために作成した動作補正データを記憶するとともに、動作補正データの曲線の変曲点の温度と動作補正データを記憶する第１の記憶手段と、上記温度検出手段により検出された周囲温度に対応し、前後した二つの代表点での動作補正データを前記第１の記憶手段から選択的に読み出し、この読み出した二つの動作補正データと検出温度から比率的に求められる動作補正データに基づいて前記電子回路の動作を補正する補正処理手段とを備える。
【００２１】
そして、この補正処理手段において、上記温度検出手段により検出された周囲温度に前後する二つの代表点の動作補正データを上記第１の記憶手段から選択的に読み出し、この読み出した二つの動作補正データと二つの代表温度から比率的に検出温度での動作補正データを求め、これをもとに上記電子回路の動作を補正するものである。
【００２２】
第４の発明は、温度補正制御手段には、上記温度検出手段で検出される温度を一定の段階ごとに区切り、その段階に従った代表点ごとに、前記電子回路が有する温度特性を補正するために作成した動作補正データを記憶する第１の記憶手段と、前記温度検出手段が有する検出特性のうち補正対象となる全温度範囲に含まれる一つの代表温度において実際に目的とする出力が得られる真の動作補正データと動作補正データとの差を記憶する第２の記憶手段と上記温度検出手段により検出された周囲温度に対応し、前後した二つの代表点での動作補正データを前記第１の記憶手段から選択的に読み出し、この読み出した二つの動作補正データと検出温度から比率的に求められる動作補正データに基づいて前記電子回路の動作を補正する補正処理手段とを備える。
【００２３】
そして、この補正処理手段において、上記温度検出手段により検出された周囲温度に前後する二つの代表点の動作補正データを上記第１の記憶手段から選択的に読み出し、この読み出した二つの動作補正データと検出温度から比率的に求められる動作補正データをさらに第２の記憶手段に記憶される動作補正データの差をもとにに基づいて補正し、これをもとに上記電子回路の動作を補正するものである。
【００２４】
第５の発明は、特に第１〜４の発明において、電子回路は、基準発振周波数を発生する発振回路であることを特徴とする温度補正回路である。
【００２５】
第６の発明は、請求項１〜４のいずれか１項記載の温度補正回路をマイクロコンピュータによって実現するためのプログラムである。そして、プログラムであるので、ハードリソースを協働させて本発明の温度補正回路を容易に実現することができる。また記録媒体に記録したり通信回線を用いてプログラムを配信したりすることでプログラムの配布・更新やそのインストール作業が簡単にできる。
【００２６】
第７の発明は、請求項１〜４のいずれか１項記載の温度補正回路を備えた無線装置である。
【００２７】
以下、この発明に係わる温度補正回路及び温度補正回路を備えた無線装置の実施形態を、図面を参照して説明する。
【００２８】
（実施の形態１）
図１は、この本発明に係わる温度補正回路を備えた無線装置、具体的には、自動検針用無線装置に実施したものである。
【００２９】
この無線装置１は、メータ２に接続され、アンテナ３を備えた無線ユニット４と、モデムユニット５と、送受信制御ユニット６とを備えている。
【００３０】
すなわち、図示しないセンター装置またはハンディ無線検針装置から到来した検針要求信号の無線搬送波信号は、アンテナ３で受信されたのち無線ユニット４の高周波スイッチ（ＳＷ）７を介して受信部８に入力される。この受信部８では、上記受信された無線搬送波信号が基準発振部９から発生された局部発振信号とミキシングされて受信中間周波信号にダウンコンバートされる。
【００３１】
なお、上記基準発振部９から発生される局部発振信号の周波数は、送受信制御ユニッ６の指示により無線チャネル周波数に対応する値に設定される。
【００３２】
上記受信部８から出力された受信中間周波信号は、モデムユニット５の復調部１０に入力される。復調部１０では上記受信中間周波信号の復調が行なわれ、これにより復調信号が再生される。
【００３３】
送受信制御ユニット６はこの復調信号をメータのプロトコルに変換して転送する。メータ２は検針要求信号を受信すると、検針応答信号を送信する。
【００３４】
送受信制御ユニット６は、この受信した検針応答信号を変調部１１を介して送信中間周波信号に変調し、この変調した送信中間周波信号を送信部１２１５に入力する。
【００３５】
送信部１２は、上記変調された送信中間周波信号を基準発振部９から発生された局部発振信号とミキシングして無線搬送波周波数にアップコンバートし、さらに所定の送信電力レベルに増幅する。この送信部１２から出力された無線搬送波信号は、高周波スイッチ７を介してアンテナ３から図示しないセンター装置またはハンディ無線装置に向け送信される。
【００３６】
図２は、この基準発振部９の構成を示す回路ブロック図である。この基準発振部９は、水晶振動子を用いて基準波の発振を行なう基準発振器１３と温度補正回路１４から構成され、温度補正回路１４は、温度検出手段１５と、アナログ／デジタル変換器（Ａ／Ｄ）１６と、補正処理手段１７と、第１の記憶手段１８と、デジタル／アナログ変換器（Ｄ／Ａ）１９とから構成される。
【００３７】
温度検出部１５は、例えばサーミスタを用いたもので、周囲温度に応じて変化する電圧値を温度検出信号として出力する。この電圧をアナログ／デジタル変換機（Ａ／Ｄ）１６で段階的に検出する。
【００３８】
図３、図４はこの水晶振動子の温度特性から求められる補正曲線の一例を示すものである。図4は図３の特定の温度範囲（３０〜４０度）を拡大したものである。
【００３９】
簡単にするために０℃から５０度までを検出範囲とし、１０℃毎の５段階に区切り、代表温度として区切りの温度を設定する。従って０℃から５０℃までの温度に対し、それぞれの温度での補正値（図３のＫ０〜Ｋ５）が第１の記憶手段に記憶される。
【００４０】
アナログ／デジタル変換器（Ａ／Ｄ）１６は、上記温度検出部１５から出力された温度検出信号をデジタル値に変換し、この温度検出信号を補正処理手段１７に与える。
【００４１】
補正処理手段１７は第１の記憶手段１８の記憶内容を検索し、検出温度の前後の代表値での補正データを読み出す。例えば今、検出温度が３８℃とすると、前後の代表温度である３０℃と４０℃の補正データＫ３、Ｋ４を読み出す。さらに、検出温度との比で
ＫＴ＝（３８−３０）／（４０−３０）＊（Ｋ４−Ｋ３）＋Ｋ３  （１）
の演算を行い、検出温度での補正データＫＴを得る。
【００４２】
このＫＴをデジタル／アナログ変換器（Ｄ／Ａ）１９から電圧に変換して基準発振器１３に印加する。 基準発振器１３は内部に図示しない。
【００４３】
印加した電圧で容量の変わる可変容量素子を有し、これにより回路乗数を変化させて目的の周波数を得るように働く。
【００４４】
以上のように実施の形態１では、無線ユニット１に温度補正回路１４を設け、この温度補正回路１４において、温度検出手段１１５により周囲温度を検出してこの検出温度値をディジタル値に変換したのち、補正処理手段１７に伝え、補正処理手段１７が第１の記憶手段１８の記憶内容を確認し、検出温度の前後の補正データを読み出し、この２つのデータから検出温度の補正データを算出し、この周波数補正データをＤ／Ａ変換器１９でアナログ制御電圧に変換して基準発振器１３の可変容量素子に供給し、これにより基準発振周波数を温度補正するようにしている。
【００４５】
したがって、幅広い使用温度範囲の保障が必要であっても、補正データの個数が少なくてすみ、メモリーを小さくすることが出来る。
【００４６】
また、第１の記憶手段１８へのデータの記憶は、外部から書き込み装置を接続し、製造工程において代表温度での発振特性を測定しながら補正データの値を決定し、書き込む方式を取っている。従って、製造工程での温度特性測定が容易で、書き込みデータ量が小さくて済むため書き込み時間も短縮される。
【００４７】
このようにすることで、温度補正回路ひいては無線装置のより一層の小型化及び低価格化が可能となる。
【００４８】
（実施の形態２）
図５は水晶振動子の温度特性から求められる補正曲線の一例を示すものである。簡単にするために３０℃から４０度までの区切りのみを表示している。ここで、代表点３０℃および４０℃の間の補正曲線を直線近似し、近似直線Ｌ１を得る。この近似直線Ｌ１と３０℃、４０℃での補正データの値Ｋ３ａ、Ｋ４ａをそれぞれこの代表温度での補正データとする。他の区切りも同様近似直線を作成して代表点での補正データをＫ０ａ〜Ｋ５ａを定め、第1の記憶手段１８に記憶している。
【００４９】
今、検出温度が３８℃とすると、前後の代表温度である３０℃と４０℃の補正データＫ３、Ｋ４を読み出す。さらに、検出温度との比で
ＫＴ＝（３８−３０）／（４０−３０）＊（Ｋ４−Ｋ３）＋Ｋ３  （２）
の演算を行い、検出温度での補正データＫＴを得る。
【００５０】
このＫＴを実施の形態１と同様にして基準発振器１３に印加し目的の周波数を得る。
【００５１】
以上のように実施の形態２では、補正曲線を区切り、その区切りごとに補正曲線を直線近似し、その近似直線によって得られた代表温度での補正データをもとに検出温度での補正データを求めるため誤差が小さくなる利点がある。また、実施の形態１同様幅広い使用温度範囲の保障が必要であっても、補正データの個数が少なくてすみ、メモリーを小さくすることが出来る。
【００５２】
また、これらのデータを製造工程において外部から書き込む場合でも書き込みデータ量が小さくて済むため書き込み時間も短縮され、温度補正回路ひいては無線装置のより一層の低価格化が可能となる。
【００５３】
（実施の形態３）
図６はこの水晶振動子の温度特性から求められる補正曲線の一例を示すものである。
【００５４】
ここで１５℃と３５℃で変曲点を持っている。従って、０℃から１０度刻みの代表点での補正データＫ０〜Ｋ５に加え、１５℃および３５℃での補正データＫ１５、Ｋ３５を第1の記憶手段１８に記憶している。
【００５５】
今、検出温度が３８℃とすると、前後の代表温度である３５℃と４０℃の補正データＫ３５、Ｋ４を読み出す。さらに、検出温度との比で
ＫＴ＝（３８−３５）／（４０−３５）＊（Ｋ４−Ｋ３５）＋Ｋ３５  （３）
の演算を行い、検出温度での補正データＫＴを得る。
【００５６】
このＫＴを実施の形態１と同様にして基準発振器１３に印加し目的の周波数を得る。
【００５７】
以上のように実施の形態３では、補正曲線を区切り、その区切りごとに定められる代表点の補正データに加えて、変曲点の補正データを代表点に持つことにより検出温度での補正データを求めるため誤差が小さくなる利点がある。また、実施の形態１同様幅広い使用温度範囲の保障が必要であっても、補正データの個数が少なくてすみ、メモリーを小さくすることが出来る。特に元となる温度補正曲線の傾きが急であったり、極大点、極小点の差が大きい場合などに効果的となる。
【００５８】
また、これらのデータを製造工程において外部から書き込む場合でも書き込みデータ量が小さくて済むため書き込み時間も短縮され、温度補正回路ひいては無線装置のより一層の低価格化が可能となる。
【００５９】
（実施の形態４）
図７は、上記実施の形態に係わる温度補正回路を備えた無線装置の基準発振部の構成を示す回路ブロック図である。
【００６０】
この基準発振部９は、水晶振動子を用いて基準波の発振を行なう基準発振器１３と温度補正回路１４から構成され、温度補正回路４は、温度検出手段１５と、アナログ／デジタル変換器（Ａ／Ｄ）１６と、補正処理手段１７と、第１の記憶手段１８と、第２の記憶手段２０、デジタル／アナログ変換器（Ｄ／Ａ）１９とから構成される。温度検出手段１５は、例えばサーミスタを用いたもので、周囲温度に応じて変化する電圧値を温度検出信号として出力する。この電圧をアナログ／デジタル変換器（Ａ／Ｄ）１６で段階的に検出する。
【００６１】
図８はこの水晶振動子の温度特性から求められる補正曲線の一例を示すものである。実線で示した曲線Ｗ１は、水晶の温度特性から算出される標準の補正曲線である。これに対し、各無線装置固有の補正曲線は回路の各素子や電源などのばらつきにより誤差が生じ、標準の補正曲線Ｗ１が上下する形となる。今、＋Δｋの誤差と仮定して、無線装置固有の補正曲線はＷ２とする。
【００６２】
図７の第１の記憶手段１８には、標準の補正曲線Ｗ１を元に実施の形態１同様、各代表点での補正値Ｋ０〜Ｋ５が記憶される。
【００６３】
また、第２の記憶手段２０には標準の補正曲線と固有の補正曲線の差Δｋを記憶する。
【００６４】
アナログ／デジタル変換器（Ａ／Ｄ）１６は、上記温度検出手段１５から出力された温度検出信号をデジタル値に変換し、この温度検出信号を補正処理手段１７に与える。
【００６５】
補正処理手段１７は第１の記憶手段１８の記憶内容を検索し、検出温度の前後の代表値での補正データを読み出す。今、検出温度が３８℃とすると、前後の代表温度である３０℃と４０℃の補正データＫ３、Ｋ４を読み出す。さらに、検出温度との比で
ＫＴ＝（３８−３０）／（４０−３０）＊（Ｋ４−Ｋ３）＋Ｋ３  （４）
の演算を行い、検出温度での補正データＫＴを得る。
【００６６】
このＫＴにさらに第２の記憶手段から読み出される差分Δｋを加えた（ＫＴ＋Δｋ）をデジタル／アナログ変換器（Ｄ／Ａ）１９から電圧に変換して基準発振器１３に印加し、目的の周波数を得るように働く。
【００６７】
以上のように実施の形態４では、無線ユニット１に温度補正回路１４を設け、この温度補正回路１４において、温度検出手段１５により周囲温度を検出してこの検出温度値をディジタル値に変換したのち補正処理手段１７に伝え、補正処理手段１７が第１の記憶手段１８の記憶内容を確認し、検出温度の前後の補正データを読み出し、この２つのデータから検出温度の標準補正データを算出し、さらに、装置固有の誤差を第２の記憶手段から読み出して加算し、算出された周波数補正データをデジタル／アナログ変換器（Ｄ／Ａ）１９でアナログ制御電圧に変換して基準発振器１０８の可変容量素子に供給し、これにより基準発振周波数を温度補正するようにしている。
【００６８】
したがって、幅広い使用温度範囲の保障が必要であっても、補正データの個数が少なくてすみ、メモリーを小さくすることが出来る。
【００６９】
また、第１の記憶手段１８へのデータの記憶は、水晶振動子特有の特性曲線から算出し、固体ばらつきに相当する補正値を第２の記憶手段２０に記憶するため、外部から書き込み装置を接続して製造工程において書き込む場合でも同一ロットまたは同一特性の保証された水晶振動子ならばいちいち測定する必要がないため工程が簡素化できる。
【００７０】
また、温度特性が保証された水晶振動子を用いる場合には、第１の記憶手段１８をプログラムの一部としてマイコン内部に有する場合には、製造工程での書き込みが第２の記憶手段２０に対してのみとなり、さらに工程が簡素化され、低価格化が可能となる。
【００７１】
なお、本実施の形態で説明した補正処理手段などの手段は、ＣＰＵ（またはマイコン）、ＲＡＭ、ＲＯＭ、記憶・記録装置、Ｉ／Ｏなどを備えた電気・情報機器等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【００７２】
以上のように本発明では、段階ごとに区切った代表点ごとにデータを記憶するため、第１の記憶手段に記憶するデータ量が少なくすることが出来る。また、メモリーの容量が小さく済むため、部品のコストダウンが可能となる。
【００７３】
さらにこれらのデータを製造工程で書き込む際も、書き込み時間が短く済むため生産効率を向上させることが可能となり、設備投資を抑えることが可能となる。
【００７４】
また、さらに段階ごとに区切った代表点ごとに補正データ曲線を直線近似して、その近似直線を用いて代表点および補正データを作成して記憶した場合には、上記に加えて代表点以外の温度の場合でも計算によって得られる値の誤差が小さくなり精度の高い補正を行なうことが出来、性能が向上する。
【００７５】
また、さらに段階ごとに区切った区切りごとのデータの他に、変曲点や傾きの大きな代表点を持つことにより、計算によって得られる値の誤差が小さくなり、より精度の高い補正を行なうことが出来る。
【００７６】
また、これらのデータを作成する際に曲線データを素子の特性で作成し、回路の乗数等によるドリフトを別途測定して持つことにより、製造工程での特性測定が簡素化でき、生産効率を向上させることが可能となり、設備投資を抑えることが可能となる。
【００７７】
したがってこの発明によれば、水晶振動子が持つ温度特性を簡単な構成で精度よく補正することが可能となり、安価で信頼性の高い温度補正回路及び温度補正回路を備えた無線装置を提供することができる。
【産業上の利用可能性】
【００７８】
本発明は、発振回路に限らず温度特性を持つ電子回路の動作を周囲温度に応じて補正するための温度補正回路および、同様の温度補正回路を備えた無線装置、特に屋外での使用が前提とされる検針用無線装置などにおいて利用できる。
【図面の簡単な説明】
【００７９】
【図１】本発明の実施の形態１における自動検針用無線装置の構成を示す回路ブロック図
【図２】同基準発振部の構成を示す回路ブロック図
【図３】同水晶振動子の補正曲線の一例を示す図
【図４】同水晶振動子の補正曲線の一例を示す図
【図５】本発明の実施の形態２における水晶振動子の補正曲線の一例を示す図
【図６】本発明の実施の形態３における水晶振動子の補正曲線の一例を示す図
【図７】本発明の実施の形態４における基準発振部の構成を示す回路ブロック図
【図８】同水晶振動子の補正曲線の一例を示す図
【符号の説明】
【００８０】
１  無線装置
２  メータ
３  アンテナ
４  無線ユニット
５  モデムユニット
６  送受信制御ユニット
８  受信部
９  基準発振部
１０  復調部
１１  変調部
１２  送信部
１３  基準発振器
１４  温度補正回路（温度補正制御手段）
１５  温度検出手段
１６  アナログ／デジタル変換器（Ａ／Ｄ）
１７  補正処理手段
１８  第１の記憶手段
１９  デジタル／アナログ変換器（Ｄ／Ａ）
２０  第２の記憶手段
【図１】
2006222725.tif 000003
【図２】
2006222725.tif 000004
【図３】
2006222725.tif 000005
【図４】
2006222725.tif 000006
【図５】
2006222725.tif 000007
【図６】
2006222725.tif 000008
【図７】
2006222725.tif 000009
【図８】
2006222725.tif 000010